(57)【要約】【課題】  ユーザの所望する視聴覚情報を再生中に着信を受けても、再生中の視聴覚情報が急に着信報知用の視聴覚情報に切り替わることによるユーザの不快感を軽減する通信機器を得る。【解決手段】  予め記憶した音楽データを再生する楽曲再生部と、着信時、設定された着信音データを再生する着信音再生部と、上記楽曲再生部の再生した音楽の音量を指定された音量に調整すると共に上記着信音再生部の再生した着信音を設定された音量に調整する音量調整部と、この音量調整部により音量調整された音楽及び着信音を音声出力する音出力部と、上記楽曲再生部により再生した音楽を上記音出力部から音声出力中に着信があったとき、上記音量調整部の調整する音楽の音量を指定された音量より下げて音声出力させると共に着信音の音量を設定された音量よりも低い音量から徐々に上げるように音量調整させて音声出力させる制御部とを備えた。【選択図】          図１
2006135841.tif 000002
【特許請求の範囲】
【請求項１】
予め記憶した音楽データを再生する楽曲再生部と、
着信時、設定された着信音データを再生する着信音再生部と、
上記楽曲再生部の再生した音楽の音量を指定された音量に調整すると共に上記着信音再生部の再生した着信音を設定された音量に調整する音量調整部と、
この音量調整部により音量調整された音楽及び着信音を音声出力する音出力部と、
上記楽曲再生部により再生した音楽を上記音出力部から音声出力中に着信があったとき、上記音量調整部の調整する音楽の音量を指定された音量より下げて音声出力させると共に着信音の音量を設定された音量よりも低い音量から徐々に上げるように音量調整させて音声出力させる制御部と
を備えたことを特徴とする通信機器。
【請求項２】
音量調整部は、楽曲再生部の再生した音楽の音量を調整する楽曲音量調整部、着信音再生部の再生した着信音の音量を調整する着信音量調整部、及び上記楽曲音量調整部により音量を調整した上記音楽と上記着信音量調整部により音量を調整した上記着信音とを合成する合成部を有した
ことを特徴とする請求項１記載の通信機器。
【請求項３】
音量調整部は、楽曲再生部の再生した音楽の音量を調整する楽曲音量調整部、着信音再生部の再生した着信音の音量を調整する着信音量調整部を有し、
音出力部は、上記楽曲音量調整部により音量を調整した上記音楽を出力する楽曲音出力部と、上記着信音量調整部により音量を調整した上記着信音を出力する着信音出力部とを有した
ことを特徴とする請求項１記載の通信機器。
【請求項４】
制御部は、楽曲再生部の再生した音楽の音量を音量０まで徐々に下げるよう音量調整部を制御する
ことを特徴とする請求項１記載の通信機器。
【請求項５】
制御部は、着信音再生部の再生した着信音の音量を設定音量まで徐々に上げるよう音量調整部を制御する
ことを特徴とする請求項１記載の通信機器。
【請求項６】
動画又は静止画データを再生すると共に着信時、着信報知画像を再生する画像再生部と、
上記画像再生部の再生した動画又は静止画を指定された色調に調整すると共に上記着信報知画像を設定された色調に調整する表示調整部と、
この表示調整部により色調調整された動画又は静止画及び着信報知画像を表示する表示部と、
上記画像再生部により再生した動画又は静止画を上記表示部に表示中に着信があったとき、上記表示調整部の調整する動画又は静止画の色調を指定された色調より淡い色調に下げて表示させると共に着信報知画像の色調を設定された色調よりも淡い色調から徐々に上げるように表示させる制御部と
を備えたことを特徴とする通信機器。
【請求項７】
制御部は、画像再生部の再生した動画又は静止画の色調を濃度０まで徐々に下げるよう表示調整部を制御する
ことを特徴とする請求項１記載の通信機器。
【請求項８】
制御部は、画像再生部の再生した着信報知画像の色調を設定濃度まで徐々に上げるよう表示調整部を制御する
ことを特徴とする請求項１記載の通信機器。
【請求項９】
制御部は、着信を受けたときに再生中の音楽又は動画の再生位置を記憶し、通話終了後に、記憶しておいた上記再生位置から上記音楽又は上記動画を再生するよう楽曲再生部又は画像再生部を制御する
ことを特徴とする請求項１又は６記載の通信機器。
【請求項１０】
制御部は、音量調整部による音楽の音量低下を開始した位置又は表示調整部による動画の色調低下を開始した位置を上記音楽又は上記動画の再生位置として記憶する
ことを特徴とする請求項９記載の通信機器。
【請求項１１】
制御部は、楽曲再生部による音楽の再生を停止した位置又は画像再生部による動画の再生を停止した位置を上記音楽又は上記動画の再生位置として記憶する
ことを特徴とする請求項９記載の通信機器。
【発明の詳細な説明】
【技術分野】
【０００１】
この発明は、着信を受けた時に着信画面を表示して着信音を出力する通信機器に関し、特に、着信時以外での音楽再生又は静止画もしくは動画の再生が可能な通信機器に関する。
【背景技術】
【０００２】
従来技術として、音楽再生中に着信を受けた場合、音楽の再生を停止するとともに、着信音を出力するよう構成することで、着信を的確に報知できるようにした無線端末装置がある（例えば、特許文献１参照）。
また、従来の通信機器は、静止画又は動画を表示中に着信を受けた場合、静止画又は動画の表示を停止して、着信画面を表示している。
【０００３】
【特許文献１】実用新案第２５７９９４７号公報（第２−３頁、図１）
【発明の開示】
【発明が解決しようとする課題】
【０００４】
従来技術においては、ユーザの所望する視聴覚情報を再生しているときに着信があると、再生中の視聴覚情報の出力を停止して、着信報知用の視聴覚情報を再生することによって着信をユーザに報知するので、再生中の視聴覚情報が急に着信報知用の視聴覚情報に切り替わり、ユーザに不快感を与えてしまうという問題点があった。
【０００５】
この発明は、上記のような問題点を解消するためになされたもので、ユーザの所望する視聴覚情報を再生中に着信を受けても、再生中の視聴覚情報が急に着信報知用の視聴覚情報に切り替わることによるユーザの不快感を軽減する通信機器を得ることを目的とするものである。
【課題を解決するための手段】
【０００６】
この発明に係る通信機器は、予め記憶した音楽データを再生する楽曲再生部と、着信時、設定された着信音データを再生する着信音再生部と、上記楽曲再生部の再生した音楽の音量を指定された音量に調整すると共に上記着信音再生部の再生した着信音を設定された音量に調整する音量調整部と、この音量調整部により音量調整された音楽及び着信音を音声出力する音出力部と、上記楽曲再生部により再生した音楽を上記音出力部から音声出力中に着信があったとき、上記音量調整部の調整する音楽の音量を指定された音量より下げて音声出力させると共に着信音の音量を設定された音量よりも低い音量から徐々に上げるように音量調整させて音声出力させる制御部とを備えたものである。
【０００７】
また、この発明に係る通信機器は、動画又は静止画データを再生すると共に着信時、着信報知画像を再生する画像再生部と、上記画像再生部の再生した動画又は静止画を指定された色調に調整すると共に上記着信報知画像を設定された色調に調整する表示調整部と、この表示調整部により色調調整された動画又は静止画及び着信報知画像を表示する表示部と、上記画像再生部により再生した動画又は静止画を上記表示部に表示中に着信があったとき、上記表示調整部の調整する動画又は静止画の色調を指定された色調より淡い色調に下げて表示させると共に着信報知画像の色調を設定された色調よりも淡い色調から徐々に上げるように表示させる制御部とを備えたものである。
【発明の効果】
【０００８】
この発明に係る通信機器は、楽曲再生部により再生した音楽を音出力部から音声出力中に着信があったとき、音量調整部の調整する音楽の音量を指定された音量より下げて音声出力させると共に着信音の音量を設定された音量よりも低い音量から徐々に上げるように音量調整させて音声出力させるようにしたので、音楽再生中に着信を受けても、音楽が急に着信音に切り替わることによるユーザの不快感を軽減することができる効果がある。
【０００９】
また、この発明に係る通信機器は、画像再生部により再生した動画又は静止画を表示部に表示中に着信があったとき、表示調整部の調整する動画又は静止画の色調を指定された色調より淡い色調に下げて表示させると共に着信報知画像の色調を設定された色調よりも淡い色調から徐々に上げるように表示させるようにしたので、動画又は静止画を表示中に着信を受けても、表示している動画又は静止画が急に着信報知画像に切り替わることによるユーザの不快感を軽減することができる効果がある。
【発明を実施するための最良の形態】
【００１０】
実施の形態１．
図１は、実施の形態１に係る通信機器としての携帯電話機のブロック構成図である。図において、無線部１は、無線通信網からの着信を検知して、受信した着信信号を主制御部２へ出力する。主制御部２は、携帯電話機全体の制御を司るものであり、記憶部としてのメモリ３に記憶されているプログラムにしたがって動作する。メモリ３は主制御部２を動作させるプログラムの他に各種のデータを記憶している。
主制御部２に着信信号が入力されると、主制御部２の指示により、着信音再生部４はメモリ３に格納されている着信音データを再生し、音量調節部５は着信音再生部４の再生した着信音データの音量を設定音量に調節して、スピーカ６から出力する。着信音データの再生音量は、例えば、音量０〜音量６のいずれかに設定可能であり、ユーザが予め設定しているものとする。また、主制御部２の指示により、画像再生部７はメモリ３に格納されている着信報知画像データを再生し、表示調節部８は画像再生部７の再生した着信報知画像データの色調を調節して、表示部としての表示装置９から出力する。その後、ユーザが操作部１０を操作して着信に応答すると、通話相手の端末と回線を接続して通話が可能になる。
また、ユーザが操作部１０を操作して音楽を再生する指示を主制御部２に入力すると、主制御部２の指示により、楽曲再生部１１はメモリ３に格納されている音楽データを再生し、音量調節部５は楽曲再生部１１の再生した音楽データの音量を指定音量に調節して、スピーカ６から出力する。音楽データの指定音量は、例えば音量０〜音量６のいずれかに指定可能であり、音楽再生中にユーザが変更できるものである。
【００１１】
次に、実施の形態１に係る携帯電話機において、音楽再生中に着信を受けたときの動作を図１、及び図２のフローチャートを用いて説明する。
【００１２】
まず、ユーザが操作部１０を操作してメモリ３に格納されている音楽データを指定し、再生する指示を入力すると、主制御部２は、指定された音楽データをメモリ３から読み出して楽曲再生部１１に受け渡す。楽曲再生部１１は受け渡された音楽データの再生を開始し、再生された音楽データは音量調節部５を介してスピーカ６から出力される。
【００１３】
主制御部２は、音楽再生中に無線部１を介して着信信号を受信すると、再生中の音楽データの現在の再生位置を一時的に記憶して（ステップ２−１）、着信音再生部４に着信音データの再生を開始するよう指示し（ステップ２−２）、音量調節部５に着信音データの再生音量を音量１にするよう指示する（ステップ２−３）。主制御部２は、音楽データの再生音量を１段階下げるよう指示する（ステップ２−４）。
音量調節部５は、主制御部２から指示された楽曲再生部１１による音楽データの再生音量及び着信音再生部４による着信音データの再生音量を調節して、音量調整した音楽データ及び着信音データはスピーカ６から出力される。
【００１４】
時間を計測するタイマを起動する（ステップ２−５）。主制御部２は、タイマに所定時間が経過したか否かを確認し（ステップ２−６）、所定時間が経過していなければステップ２−６の処理を繰り返す。
【００１５】
ステップ２−６の判断により、所定時間が経過していれば、主制御部２は、音楽データの再生音量が音量０であるか否かを判定する（ステップ２−７）。この判定で、音楽データの再生音量が音量０であれば、ステップ２−９へ進み、音楽データの再生音量が音量０でなければ、主制御部２は、音楽データの再生音量を１段階下げるよう音量調節部５に指示する（ステップ２−８）。
【００１６】
次に、主制御部２は、着信音データの再生音量が着信音として設定された音量に達しているか否かを判定する（ステップ２−９）。この判定で、着信音データの再生音量が設定音量に達していれば、ステップ２−１１へ進み、着信音データの再生音量が設定音量に達していなければ、主制御部２は、着信音データの再生音量を１段階上げるよう音量調節部５に指示する（ステップ２−１０）。
【００１７】
音量調節部５は、主制御部２から指示された楽曲再生部１１による音楽データの再生音量と着信音再生部４による着信音データの再生音量とを調節して、音量調整した音楽データ及び着信音データはスピーカ６から出力される。
【００１８】
主制御部２は、音楽データの再生音量が音量０であり、着信音データの再生音量が設定
音量に達しているか否かを判定する（ステップ２−１１）。この判定で、音楽データの再生音量が音量０となっていない、又は着信音データの再生音量が設定音量に達していなければ、ステップ２−５へ戻り、処理を繰り返す。
ステップ２−１１の判定で、音楽データの再生音量が音量０となっており、着信音データの再生音量が設定音量に達していれば処理を終了し、以降、音楽データの再生音量が音量０、着信音データの再生音量が設定音量でスピーカ６から出力される。
【００１９】
また、着信音がスピーカ６から出力されているときに、ユーザが操作部１０を操作して通話を開始すると、主制御部２は楽曲再生部１１に音楽データの再生を停止させ、着信音再生部４に着信音データの再生を停止させる。
【００２０】
また、通話中にユーザが操作部１０を操作して通話を終了すると、主制御部２は着信を受ける前に再生していた音楽データとともに、一時記憶していた再生位置を楽曲再生部１１へ通知する。楽曲再生部１１は指定された再生位置から音楽データの再生を開始する。
【００２１】
このように、音楽再生中に着信があったときに、再生中の音楽をフェードインし、着信音をフェードアウトしてスピーカ６から出力するようにしたので、音楽が急に着信音に切り替わることによるユーザの不快感を軽減し、ユーザの意識を音楽聴取から着信通知へと円滑に移行させることができる。
【００２２】
また、着信時に音楽データの再生位置を一時記憶して、通話終了時に着信前の音楽を一時記憶した再生位置から再生するようにしたので、通話終了時にユーザが音楽データの再生位置を指定する煩わしさをなくすことができる。
【００２３】
実施の形態２．
図３は、実施の形態２に係る携帯電話機のブロック構成図である。図において、主制御部２に着信信号が入力されると、主制御部２の指示により、着信音再生部４はメモリ３に格納されている着信音データを再生し、着信音量調節部１３は着信音再生部４の再生した着信音データの音量を設定音量に調節し、合成部１４を介してスピーカ６から出力する。また、ユーザが操作部１０を操作して音楽を再生する指示を主制御部２に入力すると、主制御部２の指示により、楽曲再生部１１はメモリ３に格納されている音楽データを再生し、楽曲音量調節部１２は楽曲再生部１１の再生した音楽データの音量を指定音量に調節して、合成部１４を介してスピーカ６から出力する。
【００２４】
次に、実施の形態２に係る携帯電話機において、音楽再生中に着信があったときの動作を図２のフローチャート及び図３を用いて説明する。
【００２５】
まず、ユーザが操作部１０を操作してメモリ３に格納されている音楽データを指定し、再生する指示を入力すると、主制御部２は、指定された音楽データをメモリ３から読み出して楽曲再生部１１に受け渡す。楽曲再生部１１は受け渡された音楽データの再生を開始し、再生された音楽データは楽曲音量調節部１２及び合成部１４を介してスピーカ６から出力される。
【００２６】
主制御部２は、音楽再生中に無線部１を介して着信信号を受信すると、再生中の音楽データの現在の再生位置を一時的に記憶して（ステップ２−１）、着信音再生部４に着信音データの再生を開始するよう指示し（ステップ２−２）、着信音量調節部１３に着信音データの再生音量を音量１にするよう指示する（ステップ２−３）。主制御部２は、楽曲音量調節部１２に音楽データの再生音量を１段階下げるよう指示する（ステップ２−４）。
楽曲音量調節部１２は、楽曲再生部１１による音楽データを主制御部２から指示された再生音量に調整し、着信音量調節部１３は、着信音再生部４による着信音データを主制御部２から指示された再生音量に調整する。楽曲音量調節部１２によって音量調整された音楽データ及び着信音量調節部１３によって音量調整された着信音データは合成部１４で合成され、スピーカ６から出力される。
【００２７】
時間を計測するタイマを起動する（ステップ２−５）。主制御部２は、タイマに所定時間が経過したか否かを確認し（ステップ２−６）、所定時間が経過していなければステップ２−６の処理を繰り返す。
【００２８】
ステップ２−６の判断により、所定時間が経過していれば、主制御部２は、音楽データの再生音量が音量０であるか否かを判定する（ステップ２−７）。この判定で、音楽データの再生音量が音量０であれば、ステップ２−９へ進み、音楽データの再生音量が音量０でなければ、主制御部２は、音楽データの再生音量を１段階下げるよう楽曲音量調節部１２に指示する（ステップ２−８）。
【００２９】
次に、主制御部２は、着信音データの再生音量が着信音として設定された音量に達しているか否かを判定する（ステップ２−９）。この判定で、着信音データの再生音量が設定音量に達していれば、ステップ２−１１へ進み、着信音データの再生音量が設定音量に達していなければ、主制御部２は、着信音データの再生音量を１段階上げるよう着信音量調節部１３に指示する（ステップ２−１０）。
【００３０】
楽曲音量調節部１２は主制御部２から指示された楽曲再生部１１による音楽データの再生音量を調節し、着信音量調節部１３は主制御部２から指示された着信音再生部４による着信音データの再生音量を調節する。その後、楽曲音量調節部１２により音量を調節された音楽データ及び着信音量調節部１３により音量を調節された着信音データは合成部１４で合成され、スピーカ６から出力される。
【００３１】
ステップ２−１１以降の処理は、実施の形態１と同様である。
【００３２】
実施の形態３．
図４は、実施の形態３に係る携帯電話機のブロック構成図である。図において、主制御部２に着信信号が入力されると、主制御部２の指示により、着信音再生部４はメモリ３に格納されている着信音データを再生し、着信音量調節部１３は着信音再生部４の再生した着信音データの音量を設定音量に調節し、着信スピーカ１６から出力する。また、ユーザが操作部１０を操作して音楽を再生する指示を主制御部２に入力すると、主制御部２の指示により、楽曲再生部１１はメモリ３に格納されている音楽データを再生し、楽曲音量調節部１２は楽曲再生部１１の再生した音楽データの音量を指定音量に調節して、楽曲スピーカ１５から出力する。
【００３３】
次に、実施の形態３に係る携帯電話機において、音楽再生中に着信を受けたときの動作を図２のフローチャート及び図４を用いて説明する。
【００３４】
まず、ユーザが操作部１０を操作してメモリ３に格納されている音楽データを指定し、再生する指示を入力すると、主制御部２は、指定された音楽データをメモリ３から読み出して楽曲再生部１１に受け渡す。楽曲再生部１１は、受け渡された音楽データの再生を開始し、再生された音楽データは楽曲音量調節部１２を介して楽曲スピーカ１５から出力される。
【００３５】
主制御部２は、音楽再生中に無線部１を介して着信信号を受信すると、再生中の音楽データの現在の再生位置を一時的に記憶して（ステップ２−１）、着信音再生部４に着信音データの再生を開始するよう指示し（ステップ２−２）、着信音量調節部１３に着信音データの再生音量を音量１にするよう指示する（ステップ２−３）。主制御部２は、楽曲音量調節部１２に音楽データの再生音量を１段階下げるよう指示する（ステップ２−４）。
楽曲音量調節部１２は、楽曲再生部１１による音楽データを主制御部２から指示された再生音量に調整し、音量調整された音楽データは楽曲スピーカ１５から出力される。着信音量調節部１３は着信音再生部４による着信音データを主制御部２から指示された再生音量に調整し、音量調整された着信音データは着信スピーカ１６から出力される。
【００３６】
時間を計測するタイマを起動する（ステップ２−５）。主制御部２は、タイマに所定時間が経過したか否かを確認し（ステップ２−６）、所定時間が経過していなければステップ２−６の処理を繰り返す。
【００３７】
ステップ２−６の判断により、所定時間が経過していれば、主制御部２は、音楽データの再生音量が音量０であるか否かを判定する（ステップ２−７）。この判定で、音楽データの再生音量が音量０であれば、ステップ２−９へ進み、音楽データの再生音量が音量０でなければ、主制御部２は、音楽データの再生音量を１段階下げるよう楽曲音量調節部１２に指示する（ステップ２−８）。
【００３８】
次に、主制御部２は、着信音データの再生音量が着信音として設定された音量に達しているか否かを判定する（ステップ２−９）。この判定で、着信音データの再生音量が設定音量に達していれば、ステップ２−１１へ進み、着信音データの再生音量が設定音量に達していなければ、主制御部２は、着信音データの再生音量を１段階上げるよう着信音量調節部１３に指示する（ステップ２−１０）。
【００３９】
楽曲音量調節部１２は主制御部２から指示された楽曲再生部１１による音楽データの再生音量を調節し、調整された音楽データは楽曲スピーカ１５から出力される。着信音量調節部１３は主制御部２から指示された着信音再生部４による着信音データの再生音量を調節し、調整された着信音データは着信スピーカ１６から出力される。
【００４０】
ステップ２−１１以降の処理は、実施の形態１と同様である。
【００４１】
上記実施の形態１〜３では、聴取用の音楽データの再生中に着信を受けた場合について説明したが、着信音データを試聴中に着信を受けた場合でも、上記実施の形態１〜３の音楽データを試聴中の着信音データに置き換えれば、同様に適用できる。
【００４２】
また、上記実施の形態１〜３では、音楽を音量０まで下げて、音楽と着信音が徐々に入れ替わる聴感が得られるようにしたが、音楽を聞き取れる程度に小さい他の音量、例えば音量１まで下げて、再生中の音楽と着信音がずっと重畳して聞こえるようにしてもよい。
【００４３】
上記実施の形態１〜３では、着信を受けた時点で音楽データの再生位置を一時記憶するようにしたが、通話を開始した時点で記憶するようにしてもよい。また、着信時の音楽データの再生音量を音量０まで下げる場合に、音楽データの再生音量が音量０になった時点で記憶するようにしてもよい。
【００４４】
実施の形態４．
図５は、実施の形態４に係る携帯電話機において、動画表示中に着信があったときの表示装置９に表示される表示画面の遷移を示す図である。（ａ）（ｂ）（ｃ）は、動画再生中の画面である。（ｄ）は携帯電話機が着信を受けた直後の画面であり、このとき、表示されていた動画像の色合いが少し薄くなり、着信報知画像がかすかに表示される。（ｅ）では表示されている動画像の色合いがさらに薄くなり、着信報知画像が（ｄ）より少し濃く表示される。動画像は徐々に薄く、着信報知画像は徐々に濃く、それぞれ段階的に変化するが、その間、動画は停止せずに動作し続けている。（ｆ）では表示されている動画像が非常に薄くなり、着信報知画像が非常に濃くなっている。そして、（ｇ）では動画像は表示されなくなり、着信報知画像のみが濃く表示されるようになる。動画像データ及び着信報知画像データの色調は、例えば濃度０〜濃度２０のいずれかに設定可能であり、ユーザが予め設定しているものとするが、動画像データの色調は、動画再生中にユーザが変更できるものとしてもよい。
【００４５】
次に、この実施の形態４に係る携帯電話機において、動画表示中に着信を受けたときの動作を図１、図５、及び図６のフローチャートを用いて説明する。
【００４６】
まず、ユーザが操作部１０を操作してメモリ３に格納されている動画像データを指定し、表示する指示を入力すると、主制御部２は、指定された動画像データをメモリ３から読み出して画像再生部７に受け渡す。画像再生部７は受け渡された動画像データの再生を開始し、再生された動画像データは表示調節部８を介して表示装置９に表示される。この処理を繰り返すことで、図５（ａ）（ｂ）（ｃ）のように表示装置９に動画が再生表示される。
【００４７】
主制御部２は、動画再生中に無線部１を介して着信信号を受信すると、表示中の動画の現在の再生フレーム位置を一時的に記憶して（ステップ６−１）、画像再生部７に着信報知画像データの再生を開始するよう指示し（ステップ６−２）、表示調節部８に着信報知画像データの色調を濃度１に調節するよう指示する（ステップ６−３）。
表示調節部８は主制御部２から指示された画像再生部８による動画像データ及び着信報知画像データの色調を調節して合成し、合成された動画像データ及び着信報知画像データは図５（ｄ）のように表示装置９に表示される。画像の合成は、例えばαブレンドと呼ばれる手法により、２枚の画像それぞれの色の濃さを調節し、画像を合成表示する。
【００４８】
時間を計測するタイマを起動する（ステップ６−４）。主制御部２は、タイマに所定時間が経過したか否かを確認し（ステップ６−５）、所定時間が経過していなければステップ６−５の処理を繰り返す。
【００４９】
ステップ６−５の判断により、所定時間が経過していれば、主制御部２は、動画像データの色調が濃度０でなければ動画像データの色調を１段階下げ、着信報知画像データの色調が設定濃度に達していなければ着信報知画像データの濃度を１段階上げるよう表示調節部８に指示する（ステップ６−６）。表示調節部８は主制御部２から指示された画像再生部７による動画像データの色調と着信報知画像データの色調を調節して合成し、合成された動画像データ及び着信報知画像データは図５（ｅ）（ｆ）のように表示装置９に表示される。
【００５０】
主制御部２は、動画像データの色調が濃度０であるか否かを判定する（ステップ６−７）。
この判定で、動画像データの色調が濃度０でなければ、ステップ６−４へ戻り、処理を繰り返す。
【００５１】
ステップ６−７の判定で、動画像データの色調が濃度０であれば、主制御部２は、着信報知画像データの色調が表示装置９に表示される画像に対して設定された設定濃度に達しているか否かを判定する（ステップ６−８）。
この判定で、着信報知画像データの色調が設定濃度に達していなければ、ステップ６−４へ戻り、処理を繰り返す。
【００５２】
ステップ６−８の判定で、着信報知画像データの色調が設定濃度に達していれば、主制御部２は処理を終了し、以降、動画像データの色調が濃度０、着信報知画像データの色調が設定濃度で図５（ｇ）のように表示装置９に表示される。
【００５３】
着信報知画像が表示装置９に表示されているときに、ユーザが操作部１０を操作して通話を開始すると、主制御部２は画像再生部７に動画像データの再生と着信報知画像データの再生をそれぞれ停止させる。
【００５４】
また、通話中にユーザが操作部１０を操作して通話を終了すると、主制御部２は着信を受ける前に表示していた動画像データとともに、一時記憶していた再生フレーム位置を画像再生部７へ通知する。画像再生部７は指定された再生フレーム位置から動画像データの再生を開始する。
【００５５】
このように、動画表示中に着信を受けたときに、再生中の動画をフェードインし、着信報知画像をフェードアウトして表示装置９に表示するようにし、ユーザの目にはぼんやりと着信報知画像が見え始め、徐々にはっきりと見えてくるようにしたので、動画が急に着信報知画像に切り替わることによるユーザの不快感を軽減し、ユーザの意識を動画視認から着信通知へと円滑に移行させることができる。
【００５６】
また、着信時に動画像データの再生フレーム位置を一時記憶して、通話終了時に着信前の動画を一時記憶した再生フレーム位置から表示するようにしたので、通話終了時にユーザが動画像データの再生フレーム位置を指定する煩わしさをなくすことができる。
【００５７】
この実施の形態４では、着信を受けた時点で動画の再生フレーム位置を一時記憶するようにしたが、通話を開始した時点で記憶するようにしてもよい。また、着信時の動画像データの色調が濃度０になった時点で記憶するようにしてもよい。
【００５８】
また、この実施の形態４では、動画表示中に着信を受けた場合について説明したが、静止画データを表示中に着信を受けた場合でも、この実施の形態４の動画像データを表示中の静止画データに置き換えることで、同様に適用できる。この場合は、ステップ６−１の再生フレーム位置を記憶する処理を省略し、通話終了時には、着信前に表示していた静止画データを表示するようにすればよい。
【００５９】
上記実施の形態１〜４では、通信機器として携帯電話機等の無線端末を用いて説明したが、固定電話等の有線端末でも同様に適用できる。
【図面の簡単な説明】
【００６０】
【図１】実施の形態１に係る携帯電話機のブロック構成図である。
【図２】実施の形態１〜３に係る携帯電話機において、音楽再生中に着信があったときの動作を説明するフローチャートである。
【図３】実施の形態２に係る携帯電話機のブロック構成図である。
【図４】実施の形態３に係る携帯電話機のブロック構成図である。
【図５】実施の形態４に係る携帯電話機において、動画表示中に着信があったときの表示装置９に表示される表示画面の遷移を示す図である。
【図６】実施の形態４に係る携帯電話機において、動画表示中に着信があったときの動作を説明するフローチャートである。
【符号の説明】
【００６１】
２  主制御部
４  着信音再生部
５  音量調整部
６  スピーカ
７  画像再生部
８  表示調整部
９  表示装置
１１  楽曲再生部
１２  楽曲音量調整部
１３  着信音量調整部
１４  合成部
１５  楽曲スピーカ
１６  着信スピーカ
【図１】
2006135841.tif 000003
【図２】
2006135841.tif 000004
【図３】
2006135841.tif 000005
【図４】
2006135841.tif 000006
【図５】
2006135841.tif 000007
【図６】
2006135841.tif 000008